(57)【要約】      （修正有）【課題】複数剤吐出式容器のノズルを洗浄するためのノズル洗浄器において、部品数が少なく組み立て操作が簡便なノズル洗浄器及びノズルの洗浄方法を提供する。【解決手段】流体を流通する口部１２０と、口部を介して流体を吸入排出するポンプ部１１０と、を備えたノズル洗浄器１００であって、口部がノズルの導入部又は吐出部と嵌合可能に形成されている。ノズル洗浄器の口部がノズルの導入部又は吐出部に直接嵌合することができるため、部品数が少なく組み立て操作が簡便にできる。【選択図】図２ａ
2017137084.tif 000002
【特許請求の範囲】
【請求項１】
複数の容器と、前記複数の容器から放出した剤を導入する導入部、及び、前記導入部から導入された剤を吐出する吐出部を有するノズルと、を備えた複数剤吐出容器の前記ノズルを洗浄するノズル洗浄器であって、
流体を流通する口部と、前記口部を介して前記流体を吸入排出するポンプ部と、を備え、前記口部が前記ノズルの導入部又は吐出部と嵌合可能に形成されていることを特徴とするノズル洗浄器。
【請求項２】
前記複数剤吐出容器は、前記容器及び前記ノズルを組み付けるカバーを有し、前記ノズルは前記カバーから脱着可能な構成であることを特徴とする請求項１に記載のノズル洗浄器。
【請求項３】
前記口部は、前記ノズルの導入部及び吐出部の両方と嵌合可能であることを特徴とする請求項１又は２に記載のノズル洗浄器。
【請求項４】
前記口部は、前記ノズルの吐出部と嵌合可能であり、前記ノズルの吐出部が一つであることを特徴とする請求項１〜３のいずれかに記載のノズル洗浄器。
【請求項５】
前記ノズル洗浄器は、塗布具または前記ノズルの保護キャップと一体化した構成であることを特徴とする請求項１〜４のいずれかに記載のノズル洗浄器。
【請求項６】
複数の容器と、前記複数の容器から放出した剤を導入する導入部、及び、前記導入部から導入された剤を吐出する吐出部を有するノズルと、を備えた複数剤吐出容器の前記ノズルを洗浄するノズル洗浄方法であって、
流体を流通する口部と、前記口部を介して前記流体を吸入排出するポンプ部と、を有するノズル洗浄器の前記口部を、前記ノズルの導入部又は吐出部に嵌合する工程と、
前記口部と、前記ノズルの導入部又は吐出部を嵌合した状態で、前記ポンプ部に流体を吸入排出させる工程と、
を備えたことを特徴とするノズル洗浄方法。
【発明の詳細な説明】
【技術分野】
【０００１】
本発明は、複数の容器から内容物を放出する複数剤吐出容器におけるノズルの詰まりを防止するためのノズル洗浄器及び洗浄方法に関する。
【背景技術】
【０００２】
複数の容器から内容物を放出する複数剤吐出容器、特に別個の容器に封入された染毛剤第１剤と染毛剤第２剤を混合する２剤吐出容器において、使用後にノズルの内部に剤が残留するという問題がある。ノズルの内部に残留した剤は、ノズルの詰まりを引き起こし、次回以降の使用を妨げるため、複数剤吐出容器の使用後には、残留する剤を十分に除去することが必要となる。そのため、ノズルの内部を洗浄するためのノズル洗浄器が開発されている。
【０００３】
例えば、特許文献１には、２剤吐出式容器において、噴射後の残留物を掻き出すための掻き出し部を備えた掻き出し洗浄部材が開示されている。しかし、この洗浄部材では、小さな掻き出し部を用いるため、掻き出しに多大な時間を要するという問題がある。
【０００４】
特許文献２には、ノズルを備えた２剤吐出式容器において、複数のノズルの誘導路を洗浄するための洗浄器として、流体を吸入排出するポンプ部と、ポンプ部が吸入排出する流体を分岐して複数のノズルの誘導路へ流通させる流通路を備えた構成が開示されている。この洗浄器によれば、ポンプ部の吸入排出操作によって、ノズルの内部に残留した剤を簡単に除去することができる。
しかし、この洗浄器では、流体を分岐するための流通路を有するため、部品数が多くなり、組み立て等に手間がかかるという問題がある。
【先行技術文献】
【特許文献】
【０００５】
【特許文献１】特開２０１２−０３０８８６号公報
【特許文献２】特開平１１−０５９７４６号公報
【発明の概要】
【発明が解決しようとする課題】
【０００６】
本発明の課題は、複数剤吐出式容器のノズルを洗浄するためのノズル洗浄器において、部品数が少なく組み立て操作が簡便なノズル洗浄器及びノズルの洗浄方法を提供することである。
【課題を解決するための手段】
【０００７】
発明者は、上記課題に対して鋭意検討した結果、複数剤吐出式容器のノズルを洗浄する際に、流体を流通する口部と、この口部を介して流体を吸入排出するポンプ部と、を備えたノズル洗浄器を用いて、口部をノズルの導入部又は吐出部に直接嵌合させることにより、ノズル洗浄器の組み立て操作等が簡便となることを見出して、本発明を完成した。
すなわち、本発明は、以下のノズル洗浄器又はノズル洗浄方法である。
【０００８】
上記課題を解決するための本発明のノズル洗浄器は、複数の容器と、前記複数の容器から放出した剤を導入する導入部、及び、前記導入部から導入された剤を吐出する吐出部を有するノズルと、を備えた複数剤吐出容器の前記ノズルを洗浄するノズル洗浄器であって、流体を流通する口部と、前記口部を介して前記流体を吸入排出するポンプ部と、を備え、前記口部が前記ノズルの導入部又は吐出部と嵌合可能に形成されていることを特徴とする。
【０００９】
このノズル洗浄器によれば、口部がノズルの導入部又は吐出部に直接連結できるため、流通部等の連結部材を必要とせず、部品数を減らすことができる。また、部品数を減らすことにより、部品の紛失のリスクも低減することができる。
その他、このノズル洗浄器によれば、ポンプ部から吐出される流体の勢いを、そのままノズルの流路に送り込むことが可能であるため、ノズルの洗浄作用が向上するという効果も奏する。
【００１０】
更に、本発明のノズル洗浄器の一実施態様としては、複数剤吐出容器が、容器及びノズルを組み付けるカバーを有し、ノズルはカバーから脱着可能な構成であるという特徴を有する。
この特徴によれば、容器とノズルの組み付けを容易に行うことができる。また、ノズルの洗浄時には、カバーからノズルを取り外すことにより、手軽にノズルを洗浄することができる。
【００１１】
更に、本発明のノズル洗浄器の一実施態様としては、口部が、ノズルの導入部及び吐出部の両方と嵌合可能であるという特徴を有する。
この特徴によれば、ノズル洗浄器の口部が、ノズルの導入部、吐出部のいずれにも嵌合可能となることから、洗浄時の流体がノズル内を流通する方向を任意に選択することが可能となり、詰まりの状態に応じた洗浄が可能となる。
【００１２】
更に、本発明のノズル洗浄器の一実施態様としては、ノズル洗浄器の口部が、ノズルの吐出部と嵌合可能であり、ノズルの導入部が一つであるというという特徴を有する。
この特徴によれば、一つのノズルの吐出部から流体を吸入排出することが可能となるため、ノズル洗浄器を付け替えることなく、ノズルの内部を洗浄することができる。
【００１３】
更に、本発明のノズル洗浄器の一実施態様としては、塗布具またはノズルの保護キャップと一体化した構成であるという特徴を有する。
この特徴によれば、複数剤吐出容器に付属する他の部品とノズル洗浄器を一体とすることにより、部品数が更に削減されるため、ノズル洗浄器等を紛失するリスクを低減することができる。
【００１４】
また、本発明のノズル洗浄方法は、複数の容器と、前記複数の容器から放出した剤を導入する導入部、及び、前記導入部から導入された剤を吐出する吐出部を有するノズルと、を備えた複数剤吐出容器の前記ノズルを洗浄するノズル洗浄方法であって、流体を流通する口部と、前記口部を介して前記流体を吸入排出するポンプ部と、を有するノズル洗浄器の前記口部を、前記ノズルの導入部又は吐出部に嵌合する工程と、前記口部と、前記ノズルの導入部又は吐出部を嵌合した状態で、前記ポンプ部に流体を吸入排出させる工程と、を備えたことを特徴とする。
この特徴によれば、洗浄に係る構成部品数が少ないため、簡単にノズル洗浄器をノズルに組み付けることができる。また、ノズルとノズル洗浄器を直接嵌合することにより、ノズル内に残留する剤を十分な水圧で除去することが可能となる。
【発明の効果】
【００１５】
本発明によれば、複数剤吐出式容器のノズルを洗浄するためのノズル洗浄器及びノズル洗浄方法において、部品数が少なく組み立て操作が簡便なノズル洗浄器及びノズルの洗浄方法を提供することができる。
【図面の簡単な説明】
【００１６】
【図１ａ】本発明の実施例の２剤吐出容器１の本体容器部１０を示す分解斜視図である。
【図１ｂ】本発明の実施例の２剤吐出容器１のノズル２０及びカバー３０を示す分解斜視図である。
【図１ｃ】本発明の２剤吐出容器のカバーの他の態様を示す概略説明図である。
【図２ａ】本発明の第一の実施例のノズル洗浄器１００を示す概略説明図である。
【図２ｂ】本発明の第一の実施例のノズル洗浄器１００の嵌合状態を示す概略説明図である。
【図３ａ】本発明の第二の実施例のノズル洗浄器１０１を示す概略説明図である。
【図３ｂ】本発明の第二の実施例のノズル洗浄器１０１の嵌合状態を示す概略説明図である。
【図４】本発明の第三の実施例のノズル洗浄器１０２を示す概略説明図である。
【図５】本発明の第四の実施例のノズル洗浄器１０３を示す概略説明図である。
【図６】本発明の第一の実施例のノズル洗浄器１００を用いたノズル洗浄方法の第一の態様を示す概略説明図である。
【図７】本発明の第一の実施例のノズル洗浄器１００を用いたノズル洗浄方法の第二の態様を示す概略説明図である。
【図８】本発明の第一の実施例のノズル洗浄器１００を用いたノズル洗浄方法の洗浄工程の一部を示す概略説明図である。
【発明を実施するための形態】
【００１７】
本発明は、複数の容器と、前記複数の容器から放出した剤を導入する導入部、及び、前記導入部から導入された剤を吐出する吐出部を有するノズルと、を備えた複数剤吐出容器のノズル洗浄器であって、流体を流通する口部と、前記口部を介して前記流体を吸入排出するポンプ部と、を備え、前記口部が前記ノズルの導入部又は吐出部と嵌合可能に形成されていることを特徴とする複数剤吐出容器のノズル洗浄器及び該ノズル洗浄器を用いたノズル洗浄方法である。
【００１８】
［複数剤吐出容器の構成］
以下に、本発明の複数剤吐出容器の実施例として、２剤吐出容器１を図面と共に説明する。なお、本発明の複数剤吐出容器は、実施例の内容に限定されるものではなく、公知の複数剤吐出容器を任意に使用可能である。
図１ａ及び図１ｂに示すように、本発明の実施例の２剤吐出容器１は、複数の剤がそれぞれ別個に充填された複数の容器からなる本体容器部１０と、本体容器部１０から放出された内容物を導入部から導入して吐出部から吐出するノズル２０、及び、本体容器部１０とノズル２０を組み付けるためのカバー３０により構成される。
【００１９】
（本体容器部）
図１ａに示す本体容器部１０は、第１剤を充填する第１エアゾール容器（以下、第１容器と記す）１１と、第２剤を充填する第２エアゾール容器（以下、第２容器と記す）１２と、を備え、第１容器１１及び第２容器１２は、容器本体と、容器本体の上部を塞ぐためのマウンテインカップ１４ａ及び１４ｂと、該容器内の内容物を放出させるための円筒状の管であるステム１５ａ及び１５ｂと、とを備えた構成である。
また、マウンテインカップ１４ａ及び１４ｂは連結部１３により係止され、第１容器及び第２容器のステム１５ａ、１５ｂの先端が略同じ高さになるように固定されている。
【００２０】
なお、本体容器部は、２以上の容器により構成すればよく、使用の態様に応じて３以上の容器としてもよい。また、１つの容器の内部に仕切り壁を設けて、複数の室を形成した構成としてもよい。
【００２１】
本体容器部から内容物を放出する手段は、特に制限されず、例えば、噴射剤を利用して内容物を放出するエアゾール容器や、ポンプを利用して内容物を放出するノンエアゾール容器、指で容器の腹を押して内容物を放出するノンエアゾール容器等が挙げられる。複数の剤の放出量を調整できるという観点から、エアゾール容器を使用することが好ましい。
【００２２】
エアゾール容器から内容物を放出する手段としては、噴射剤と内容物を混合して噴射剤と共に内容物を放出する手段や、容器本体の内部に内容物を封入した内袋を設け、容器本体と内袋との間の空間に充填した噴射剤により内容物を放出する手段等が挙げられる。
クリーム状、ジェル状、ペースト状等の剤型とする場合には、後者の放出手段を利用することが好ましい。
【００２３】
エアゾール容器に使用する容器本体の材質としては、特に制限されず、内容物の耐性に応じて選択すればよい。例えば、アルミニウム、ブリキ、ステンレス等の金属材料、ポリエチレンテレフタレート（ＰＥＴ）、ポリプロピレン（ＰＰ）、ポリエチレン（ＰＥ）等の合成樹脂材料等が挙げられる。
【００２４】
さらに、エアゾール容器の内面をコート剤で被覆することが好ましい。コート剤としては、例えば、エポキシフェノール樹脂、エポキシユリア樹脂、エポキシアミノ樹脂、エポキシアミン樹脂、アミドイミド系樹脂等が挙げられる。また、コート剤を、多層被覆してもよい。
【００２５】
なお、内容物の残量を目視できるという観点では、ＰＥＴ等の透明な材質を使用することが好ましい。また、汎用性に優れるという観点では、アルミニウムを使用することが好ましい。耐薬品性の観点では、ステンレス製、ＰＥＴ等によりラミネート加工したアルミニウム、ブリキを使用することが好ましい。
【００２６】
また、内容物を封入するための内袋としては、変形可能な材質であればよく、例えば高密度ポリエチレン（ＨＤＰＥ）、低密度ポリエチレン（ＬＤＰＥ）、直鎖状低密度ポリエチレン（ＬＬＤＰＥ）等のポリエチレン（ＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の単層の合成樹脂製、およびこれらの積層体等が挙げられる。その他、内面をエポキシフェノール樹脂、エポキシユリア樹脂、エポキシアミノ樹脂あるいはエポキシアミン樹脂でコートしたアルミニウム製を用いてもよい。ＰＥ／ＥＶＯＨ／ＰＥ等の積層体、ＨＤＰＥおよび内面コートアルミニウムを用いると、噴射剤の透過および内容物の変質を防ぐ点から好ましい。またその厚さは０．１〜１．０ｍｍが内容物の保持性および収縮性の点から好ましい。
【００２７】
本体容器部から放出された内容物の剤型としては、特に制限されず、例えば、液状、乳液状、泡状、クリーム状、ジェル状、ペースト状等が挙げられる。本発明のノズル洗浄器の効果がより発揮されるという観点から、クリーム状、ジェル状、ペースト状等の高粘度の剤型であることが好ましい。放出後の内容物の２５℃における粘度としては、１０００〜５００００ｍＰａ・ｓが好ましく、５０００〜４００００ｍＰａ・ｓが更に好ましく、１００００〜３００００ｍＰａ・ｓが特に好ましい。
なお、２５℃における粘度の測定方法は、Ｂ型粘度計（東機産業社製）を用いて測定する。粘度が２５０〜１０００ｍＰａ・ｓの範囲の場合には、ロータ２号、３０ｒｐｍ、１分の条件で測定する。ロータ２号、３０ｒｐｍ、１分の条件において粘度が２５０ｍＰａ・ｓ未満である場合には、粘度は、ロータ１号、６０ｒｐｍ、１分の条件で測定した結果を採用する。ロータ２号、３０ｒｐｍ、１分の条件において粘度が１０００ｍＰａ・ｓを超える場合には、ロータ３号、１２ｒｐｍ、１分の条件で測定した結果を採用する。
【００２８】
内容物は、特に制限されないが、酸化染毛剤の第１剤及び第２剤が、本発明の複数剤吐出容器に好適に使用することができる。
例えば、本実施例で用いられている第１剤は、ｐ−トルイレンジアミン、ｐ−フェニレンジアミン、ｐ−メチルアミノフェノール、４−ニトロ−ｏ−フェニレンジアミン、１−アミノ−４−メチルアントラキノン、ポリオキシエチレン（９）ラウリルエーテル、ポリオキシエチレン（１５）ノニルフェニルエーテル、セチル硫酸ナトリウム、臭化セチルトリメチルアンモニウム、セチルアルコール、ワセリン、ステアリン酸、プロピレングリコール、ヒドロキシエチルセルロースヒドロキシプロピルトリメチルアンモニウムクロリドエーテル、エデト酸二ナトリウム、アスコルビン酸、２８％アンモニア水およびモノエタノールアミン、精製水を成分としており、これらを調製したものである。また、第１容器１１で用いられている噴射剤の成分は、窒素ガスである。
【００２９】
また、本実施例で用いられている第２剤は、過酸化水素水、フェナセチン、１−ヒドロキシエタン−１，１−ジホスホン酸、１−ヒドロキシエタン−１，１−ジホスホン酸四ナトリウム、セタノール、ジメチルポリシロキサン、ポリオキシエチレンアルキルエーテル、グリセリン、香料、精製水を成分としており、これらを調製したものである。また、第２容器１２で用いられている噴射剤の成分は、窒素ガスである。
【００３０】
噴射剤としては、例えば、窒素ガス、液化石油ガス、ジメチルエーテル等が使用されるが、内容物に悪影響を及ぼさない点から窒素ガスが好ましい。
【００３１】
（ノズル）
図１ｂに示すノズル２０は、略箱状に形成された基部２１と、この基部２１の下面に設けられ、ステム１５ａ及び１５ｂと水密に係合することができる一対の導入部２３ａ及び２３ｂと、基部２１の前方側面に突設され、第１容器１１及び第２容器１２から排出された内容物を外部に吐出するための吐出部２４とからなる。また、基部２１の下面には、基部２１の内部とステム１５ａ及び１５ｂの内部とを連通する貫通口２２ａ及び２２ｂが形成されている。さらに、基部２１の上面は、ステム１５ａ及び１５ｂの押下方向に対して垂直な平面状に形成されている。
【００３２】
また、このノズル２０の基部２１及び吐出部２４の内部には、ステム１５ａ及び１５ｂの中央に位置するように仕切板２５が設けられており、２つの流路が形成されている。そのため、このノズル２０は、第１容器１１及び第２容器１２それぞれから排出される内容物を導入部２３ａ、２３ｂから吐出部２４の先端まで隔離して送り出すことができる。
【００３３】
なお、本発明のノズルは、導入部及び吐出部を有する構成であれば、特に制限されない。例えば、仕切り板を設けずにノズルの内部で複数の剤が接触してもよいし、更には、内部に撹拌部材を設けて複数の剤を内部で撹拌してもよい。
【００３４】
また、導入部及び吐出部の数は特に制限されないが、導入部については、複数の剤の種類に応じて複数設けることが望ましく、一方、吐出部については一つのみであることが好ましい。
【００３５】
導入部の形状は、特に制限されないが、円筒状が好ましい。導入部の外径は、５〜１０ｍｍが好ましく、３〜１０ｍｍが更に好ましい。
【００３６】
吐出部の形状は、特に制限されないが、円筒状、楕円筒状、角筒状等が挙げられ、楕円筒状が好ましい。吐出部の外径は、幅長（図１ｂの「Ａ」の長さ）×高さ（図１ｂの「ａ」の長さ）として、好ましくは７〜１５ｍｍ×１〜９ｍｍであり、より好ましくは９〜１３ｍｍ×３〜７ｍｍである。
また、吐出部の長さ（筒長）は、好ましくは８〜１４ｍｍであり、より好ましくは１０〜１２ｍｍである。
【００３７】
（カバー）
図１ｂに示すカバー３０は、ノズル２０と本体容器部１０を組み付けるものであり、ノズル２０の導入部２３ａ及び２３ｂと、本体容器部１０のステム１５ａ及び１５ｂを容易に係合させることができる。
【００３８】
カバー３０は、前述の導入部挿通口３４ａ及び３４ｂが形成された上板３１と、カバー３０の前方に設けられた２箇所のヒンジ３６を介して形成された平板状のレバー３２と、ノズル２０をカバー３０に組み付けた際に、ノズル２０の吐出部２４を露出させるための吐出部挿通口３５と、を備えている。また、レバー３２には、その裏面にほぼ円錐形の突起３３が二つ形成されている。突起３３により、レバー３２が押下された際に、レバー３２に掛かる力をノズル２０に効率よく伝えることができる。
【００３９】
カバー３０とノズル２０を脱着するには、レバー３２をカバー３０の前方に倒すことにより、ノズル２０を簡易的に脱着することができる。
【００４０】
なお、本発明において、カバーは必須の構成ではなく、ノズルを直接本体容器と係合するような構成としてもよい。また、カバー３０とノズル２０を脱着できないように固定してもよい。
カバー３０を設ける場合には、ノズル２０と脱着可能な構成とすることが好ましい。これにより、ノズルの洗浄において、ノズルのみを洗浄することができる。
【００４１】
図１ｃには、カバーの他の態様として、カバー下部３０ａ及びカバー上部３０ｂを備えたカバーを図示した。
カバー下部３０ａは、ノズル２０ａを収容できる筒体からなり、筒体の内側には、第１容器および第２容器の配列方向に沿ってノズル係止帯体３１ａが設けられ、ノズル２０ａの押下方向への移動を制限する。また、ノズル２０ａの押下方向に沿ってノズル摺動片３１ｂが設けられており、ノズル２０ａは、配列方向への移動が制限され、押下方向への上下摺動が可能となる。なお、ノズル摺動片３１ｂと、ノズル摺動片３１ｂに係止するノズル２０ａの背面突部（図示しない）の間には間隙が形成されており、配列方向へのノズル２０ａの移動はわずかに許容される。
【００４２】
カバー上部３０ｂは、筒体の後方側が一部欠損した略Ｃ字状の部材により構成され、前方側の内側面には、配列方向に沿って長尺のヒンジ３６ａが設置され、該ヒンジ３６ａには、レバー３２ａが押下方向に揺動可能に取り付けられている。また、レバー３２ａには、レバー３２ａを操作するためのレバー突起３２ｂが設けられ、レバー突起３２ｂは、カバー上部３０ｂの後方側の欠損領域から突出している。
【００４３】
レバー突起３２ｂの先端略中央には弧状の凹みが形成されており、レバー突起３２ｂを押下する際に、指が凹みにフィットして滑りを防止することができる。そのため、押下方向へしっかりと力を加えることができる。
【００４４】
カバー下部３０ａ及びカバー上部３０ｂは、内部にノズル２０ａを収容した状態で、カバー下部３０ａの内面に形成された固定孔３８ａ、３８ｂと、カバー上部３０ｂの外面に形成された固定片３７ａ、３７ｂを係合することにより固定される。このノズル２０ａは、カバーと容易に脱着することができないため、カバーとノズル２０ａを一体型として流通する。これによれば、使用者の誤装着を防止するという効果を奏する。
【００４５】
カバー下部３０ａ及びカバー上部３０ｂの前方には、それぞれ吐出部挿通切り欠き部３５ｂ及び３５ａを備えており、カバー下部３０ａとカバー上部３０ｂが固定されると、ノズル２０ａの吐出部２４ａを挿通するための吐出部挿通口を形成する。
また、カバー下部３０ａの後方には、レバー揺動切り欠き部３２ｃが形成されており、レバー突起３２ｂを押下方向に揺動可能としている。
【００４６】
なお、ノズル２０ａは、上述したカバー３０に使用したノズル２０と同様に、基部２１の下面に導入部２３ｃ、２３ｄを備え、前方に吐出部２４ａを備えた構成である。
基部２１及び吐出部２４ａの中央に設置された仕切り板２５ａは、吐出部２４ａの途中まで設置されており、吐出部２４ａの先端において、第１剤と第２剤の接触領域が形成されている。接触領域を設けることにより、第１剤と第２剤が一筋となって吐出されるため、所定の位置に吐出しやすく、また、混合しやすいという効果がある。
【００４７】
そして、図１ｃに示すカバーによれば、レバー突起３２ｂを押下方向に揺動すると、長尺のヒンジ３６ａに均等に押圧が作用するため、ノズル２０ａを配列方向に均等に押し下げることができる。
【００４８】
また、レバー３２ａの裏面には、略円弧状に形成された２つの突起３３ａが設けられ、ノズル２０ａの奥行方向に均等に押圧を作用することができる。なお、突起３３ａの形状は、半球状、球状、楕円球状等の湾曲部を有する形状でもよい。
【００４９】
図１ｃに示すカバーのその他の構成としては、カバー下部３０ａの外側両側面にカバー係止孔３９ａを有する揺動片３９を備えており、カバー係止孔３９ａと本体容器部１０側に設けたカバー係止突部（図示しない）を係合して本体容器部１０とカバーを係止する。この構成によれば、揺動片３９を操作することにより、本体容器１０とカバーを簡単に脱着することができる。
【００５０】
［ノズル洗浄器の構成］
以下に、本発明のノズル洗浄器の構成について、図面と共に説明する。
本発明のノズル洗浄器は、流体を流通する口部と、前記口部を介して前記流体を吸入排出するポンプ部と、を備え、前記口部がノズルの導入部又は吐出部と嵌合可能に形成されていることを特徴とする。
【００５１】
（第一実施例）
図２ａには、本発明の第一の実施例のノズル洗浄器１００の概略説明図を示す。図２ａに図示するように、ノズル洗浄器１００は、水などの流体を吸入排出することが可能なポンプ部１１０と、ノズル２０の導入部２３ａ、２３ｂ及び／または吐出部２４に嵌合可能に形成され、ポンプ部１１０が吸入排出する流体をノズル２０の内部に流通させる口部１２０と、からなる。
【００５２】
ポンプ部１１０は、蛇腹１１１を備え、底部１１２を指で押す等、その蛇腹１１１を伸縮させることで、水などを吸入排出することができ、蛇腹１１１の一端から嵌合部１２０を通じてノズル２０内に流体を流通することができる。
【００５３】
なお、ポンプ部の形状は、水などの流体を吸入排出することが可能であれば、どのような形状でもよく、例えば、押圧により内容積が収縮する略球形状のポンプでも、シリンジポンプでもよい。内容積の収縮及び膨張が容易に行うことができるという点から、第一実施例のような蛇腹を備えたポンプ、シリンジポンプが好ましい。また、部品点数を減らすという観点から、蛇腹を備えたポンプであることが特に好ましい。
【００５４】
蛇腹を備えたポンプにおいて、蛇腹の長さは特に制限されないが、操作性の観点から、１０〜５０ｍｍが好ましく、２０〜４０ｍｍが更に好ましい。また、蛇腹の外径は、１０〜４０ｍｍが好ましく、２０〜３０ｍｍが更に好ましい。
【００５５】
蛇腹を備えたポンプの全体の長さは、特に制限されないが、操作性や流体の吸入排出の抵抗等を勘案すると、３５〜７５ｍｍが好ましく、４５〜６５ｍｍが更に好ましい。
【００５６】
口部１２０は、ノズル２０の導入部２３ａ、２３ｂ及び／または吐出部２４と密着するよう嵌合可能に形成されている。嵌合可能な形状は、特に制限されないが、例えば図２ｂに示すように、ノズル２０の導入部２３ａ、２３ｂ及び／または吐出部２４の内周とノズル洗浄器１００の口部１２０の外周が密着するように口部１２０の先端の径を小さくした形状とすればよい。なお、口部１２０の先端の外径（図２ａの「ｂ」）は、６〜１４ｍｍが好ましく、８〜１２ｍｍが更に好ましい。また、口部１２０のポンプ部１１０側の段部の径（図２ａの「Ｂ」）は、８〜１６ｍｍが好ましく、１０〜１４ｍｍが更に好ましい。
【００５７】
ノズル洗浄器１００の材質は、ポンプ部の形態に応じて適宜選択される。蛇腹を備えたポンプや、押圧により内容積が収縮する略球形状のポンプでは、可撓性を有する材質により構成することが好ましく、例えば、ポリエチレン、ポリプロピレン、ビニール、ナイロン等の合成樹脂が挙げられる。シリンジポンプでは、硬質の材質により構成されることが好ましく、ポリプロピレン、ポリエチレン、ポリエチレンテレフタラート等の合成樹脂が挙げられる。
【００５８】
本発明における複数剤吐出容器（２剤吐出容器１）のノズル２０の構成は、複数の導入部を有する一方、吐出部は一カ所のみであることが好ましい。さらには、ノズル洗浄器１００の口部１２０は、少なくともノズル２０の吐出部２４と嵌合可能な構成であることが好ましい。この構成により、１回の操作でノズル２０内全体の洗浄が可能となる。
【００５９】
（第二実施例）
図３ａには、本発明の第二の実施例のノズル洗浄器１０１の概略説明図を示す。図３ａに図示するように、ノズル洗浄器１０１は、ポンプ部１１３と、口部１２１と、からなる。
【００６０】
第二の実施例のポンプ部１１３は、シリンジポンプであり、筒部１１４と、筒部１１４の内面と略気密に接する棒状の操作部１１５を備えた構成である。ポンプ１１３は、操作部１１５を筒部１１４から出し入れすることにより、水などを吸入排出することができ、筒部１１４の一端から口部１２１を通じてノズル２０内に流体を流通することができる。
【００６１】
また、第二の実施例のノズル洗浄器１０１では、ノズル２０の導入部２３ａ、２３ｂ及び／または吐出部２４と嵌合可能な構成として、図３ｂに示すように、ノズル２０の導入部２３ａ、２３ｂ及び／または吐出部２４の外周と口部１２１の内周が密着するような構成を有する。
【００６２】
なお、ノズル２０の導入部と吐出部の内径を合わせると、ノズル２０の圧力が高まるため、吐出部の内径は導入部の内径より大きくする必要がある。一方、導入部と吐出部の外径は部材の厚みを調整することにより合わせることが可能である。そのため、第二実施例の口部１２１の形態は、ノズル２０の導入部２３ａ、２３ｂ及び吐出部２４の両方に嵌合可能な構成とすることに適しており、この場合、ノズルの導入部２３ａ、２３ｂ及び／または吐出部２４のいずれの方向からも洗浄することが可能となる。
【００６３】
（第三実施例、第四実施例）
図４には、本発明の第三の実施例のノズル洗浄器１０２として、櫛２００と一体化した構成を、図５には、本発明の第四の実施例のノズル洗浄器１０３として、前記ノズルの保護キャップ３００と一体化した構成を示す。なお、上記保護キャップは、ノズルの誤射等を防ぐことを目的とし、輸送時などの使用前にノズル又はカバーの上部に、ノズルを覆うように設置するものである。
【００６４】
上記第三実施例及び第四実施例のように、本発明のノズル洗浄器１０２、１０３は、複数剤吐出容器に付属する櫛、コーム、刷毛等の塗布具や、保護キャップ等の他の部品と一体化することにより、さらなる部品数の削減を可能とするものである。
【００６５】
［ノズルの洗浄方法］
本発明のノズルの洗浄方法は、流体を流通する口部と、前記口部を介して前記流体を吸入排出するポンプ部と、を有するノズル洗浄器の口部を、前述したノズルの導入部又は吐出部に嵌合する工程と、口部とノズルの導入部又は吐出部を嵌合した状態で、ポンプ部に流体を吸入排出させる工程と、を備えたことを特徴とする複数剤吐出容器のノズル洗浄方法である。
【００６６】
次に、第一の実施例のノズル洗浄器１００を用いてノズル２０を洗浄する方法について詳細に説明する。まず、図６に示すように、２剤吐出容器から取り外したノズル２０の導入部２３ａ又は２３ｂに、ノズル洗浄器１００の口部１２０を嵌合させる。あるいは、図７に示すように、ノズル２０の吐出部２４に、ノズル洗浄器１００の口部１２０を嵌合させる。
【００６７】
そして、図８に示すように、嵌合したノズル洗浄器１００とノズル２０とを共に水などに浸け、そして、ノズル２０とノズル洗浄器１００との間を水が流通するように底部１１２を図８のＡの方向に指で押す等、蛇腹１１１を伸縮させる。さらに、蛇腹１１１の伸縮を数度繰り返す。このようにノズル２０に詰まった剤を、手間をかけずに完全に取り除くことができる。
【００６８】
特に、ノズル２０の吐出部２４にノズル洗浄器１００の口部１２０を嵌合させて洗浄を行うことで、１回の操作でノズル２０内全体に水を流通させることが可能となるため、より洗浄の手間を軽減させることが可能となる。
【００６９】
また、ノズル洗浄器１００の口部１２０を、ノズル２０の導入部２３ａ、２３ｂ及び吐出部２４の両方に嵌合可能な構成とした際には、詰まりの状況に応じてノズル洗浄時の水の流通方向を任意に選択することも可能となる。さらには、ノズル２０の導入部２３ａ又は２３ｂとノズル洗浄器１００の口部１２０を嵌合させて上記洗浄を行った後、ノズル２０の吐出部２４とノズル洗浄器１００の口部１２０を嵌合させて、さらに洗浄を行うという工程を繰り返すことも可能である。
【産業上の利用可能性】
【００７０】
本発明の複数剤吐出容器におけるノズル洗浄器及びノズルの洗浄方法は、複数の容器から内容物を放出する複数剤吐出容器、特に別個の容器に封入された第１剤と第２剤を混合する２剤吐出容器において、使用後にノズルの内部に残留する剤を少ない部品数で容易かつ十分に除去することが可能である。
【００７１】
また、本発明の複数剤吐出容器におけるノズル洗浄器及びノズルの洗浄方法は、染毛剤の分野に限らず、育毛剤や整髪料、洗浄剤、化粧剤、美容剤、消臭剤、殺虫剤等の複数剤吐出容器を用いる他の分野においても利用可能である。
【符号の説明】
【００７２】
１…２剤吐出容器、１０…本体容器部、２０，２０ａ…ノズル、３０…カバー、３０ａ…カバー下部、３０ｂ…カバー上部、１１…第１容器、１２…第２容器、１３…連結部、１４ａ，１４ｂ…マウンテインカップ、１５ａ，１５ｂ…ステム、２１…基部、２２ａ，２２ｂ…貫通口、２３ａ，２３ｂ，２３ｃ，２３ｄ…導入部、２４，２４ａ…吐出部、２５，２５ａ…仕切り板、３１…上板、３１ａ…ノズル係止帯体、３１ｂ…ノズル摺動片、３２，３２ａ…レバー、３２ｂ…レバー突起、３２ｃ…レバー揺動切り欠き部、３３，３３ａ…突起、３４ａ，３４ｂ…導入部挿通口、３５…吐出部挿通口、３５ａ，３５ｂ…吐出部挿通切り欠き部、３６，３６ａ…ヒンジ、３７ａ，３７ｂ…固定片、３８ａ，３８ｂ…固定孔、３９…揺動片、３９ａ…カバー係止孔、１００…ノズル洗浄器、１０１…ノズル洗浄器、１０２…ノズル洗浄器、１０３…ノズル洗浄器、１１０…ポンプ部、１１１…蛇腹、１１２…底部、１１３…ポンプ部、１１４…筒部、１１５…操作部、１２０…口部、１２１…口部、２００…櫛、３００…保護キャップ
【図１ａ】
2017137084.tif 000003
【図１ｂ】
2017137084.tif 000004
【図１ｃ】
2017137084.tif 000005
【図２ａ】
2017137084.tif 000006
【図２ｂ】
2017137084.tif 000007
【図３ａ】
2017137084.tif 000008
【図３ｂ】
2017137084.tif 000009
【図４】
2017137084.tif 000010
【図５】
2017137084.tif 000011
【図６】
2017137084.tif 000012
【図７】
2017137084.tif 000013
【図８】
2017137084.tif 000014